(57)【特許請求の範囲】
【請求項１】
上面を有する本体と、
表示パネルと、
前記本体に前記表示パネルを連結するヒンジ機構であって、前記上面に対して前記表示パネルを旋回可能に支持する旋回軸と、前記本体に対して前記表示パネルを開閉可能に回動保持する回動軸とを有するヒンジ機構と、
前記ヒンジ機構が配置される側の前記本体の上面の縁に設けられ、前記旋回軸を中心とする前記表示パネルの旋回方向に沿う向きに前記表示パネルに当接する突起を有した受部材と
を備える電子機器であって
前記回動軸が配置される側の前記表示パネルの縁は、
前記本体に対して前記表示パネルを立て起した状態で前記受部材に当接し、
前記本体に対して前記表示パネルを重ね合わせた状態で前記受部材から離間する
ことを特徴とする電子機器。
【請求項２】
前記受部材の前記突起は、前記表示パネルの縁に対して、前記本体の上面に設置された入力装置に面した側と反対側から当接することを特徴とする請求項１に記載の電子機器。
【請求項３】
前記受部材は、前記旋回軸を中心とする左右対称の位置にそれぞれ配置されていることを特徴とする請求項１に記載の電子機器。
【請求項４】
前記受部材は、前記旋回軸を中心とする前記表示パネルの旋回方向に沿う向きに前記表示パネルの表示面側およびその反対の背面側から各々当接する２つの突起を有していることを特徴とする請求項１に記載の電子機器。
【発明の詳細な説明】
【技術分野】
【０００１】
本発明は、本体に対して表示面を伏せた状態と仰向けに重ねた状態とに反転できる表示パネルを備える電子機器に関する。
【背景技術】
【０００２】
携帯型の電子機器のうち、本体に対して表示パネルを立て起し、その状態からさらに表示パネルを反転させることができるノートブック型の電子機器がある。このような電子機器は、本体に対して表示パネルを立て起す方向に回動可能に支持する回動軸と、立て起した状態の表示パネルを反転させる方向に回動可能に支持する旋回軸とをヒンジ部に備えている。
【０００３】
特許文献１に開示されている電子機器は、回動軸または旋回軸を中心に表示パネルを回動させる操作を円滑に行えるようにするため、ヒンジ部に連動ピンを内蔵している。連動ピンは、表示パネルを本体に対して直立させた場合に旋回軸の回動抵抗を小さくし、表示パネルの表示面またはその背面をキーボードに向けた場合に回動軸の回動抵抗を小さくするように作動する。
【特許文献１】特開２００４−５３９２７号公報
【発明の開示】
【発明が解決しようとする課題】
【０００４】
しかしながら、特許文献１に記載の電子機器に設けられるヒンジ部は、回動軸の回動抵抗と旋回軸の回動抵抗とを切換えるための複雑な機構を備える必要がある。また、ヒンジ部およびその周辺部は、表示パネルを任意の姿勢に保持するための十分な強度が必要である。これらのことを考慮すると、ヒンジ部およびその周辺が嵩高くなってしまう。
【０００５】
また、表示パネルが大きくなるとこれに比例して、回動抵抗が大きい回動軸がヒンジ部に適用される。特許文献１に記載のヒンジ部の場合、回動軸を中心に所定の回転角度に表示パネルを立て起した状態で旋回軸の回動抵抗が小さくなる。したがって、この所定の回転角度を通り越える範囲にわたって、回動軸を中心に表示パネルを傾倒させる場合、回動軸の回動抵抗が大きいと、不用意に旋回軸を中心とする回動方向へ表示パネルが回ってしまうことがある。
【０００６】
さらに、表示パネルは、ヒンジ部が設けられた縁の対辺となる位置にラッチ機構を有している。ラッチ機構は、表示パネルを本体に重ね合わせた状態で互を固定するものである。表示パネルが大きいと、ヒンジ部におけるわずかな角度のずれによって、ラッチ機構が上手く係合できなくなる。
【０００７】
そこで、本発明は、本体に対して重ね合された表示パネルを立て起す操作、および立て起した表示パネルを旋回させる操作をそれぞれ円滑に行える電子機器を提供する。
【課題を解決するための手段】
【０００８】
本発明に係る一実施形態の電子機器は、上面を有する本体と表示パネルとヒンジ機構と受部材とを備える。ヒンジ機構は、旋回軸と回動軸とを有し、本体に表示パネルを連結する。旋回軸は、本体に対して表示パネルを旋回可能に支持する。回動軸は、本体に対して表示パネルを開閉可能に回動保持する。受部材は、ヒンジ機構が配置される側の本体の上面の縁に設けられ、旋回軸を中心とする表示パネルの旋回方向に沿う向きに表示パネルに当接する突起を有する。そして、回動軸が配置される側の表示パネルの縁は、本体に対して表示パネルを立て起こした状態で受け部材に当接し、本体に対して表示パネルを重ね合わせた状態で受け部材から離間する。
【発明の効果】
【０００９】
本発明に係る電子機器によれば、本体に対して重ね合された表示パネルを立て起す操作、および立て起した表示パネルを旋回させる操作をそれぞれ円滑に行える。
【発明を実施するための最良の形態】
【００１０】
本発明に係る一実施形態の電子機器１について、ノート型のポータブルコンピュータを例に、図１から図９を参照して説明する。図１に示す電子機器１は、本体２と表示パネル３とヒンジ機構４と受部材５とを備える。表示パネル３は、本体２に対して一方の面を伏せて重ねた状態から、本体に対して立て起こした状態を経て、一方の面を仰向けに重ね合わせる状態に反転させることができる。本実施形態における説明の便宜上、卓上などに本体２を据えた状態で利用者側から見て、右、左、手前側を前、奥側を後、鉛直方向に上方、下方をそれぞれ定義する。
【００１１】
本体は、外殻を形成するハウジング２０を有しており、ＣＰＵなどが実装された回路基板や記憶媒体などを内蔵する。ハウジング２０の上部には、入力装置としてのキーボード８を備える。表示パネル３は、液晶ディスプレイ３１およびデジタイザ３２を内蔵する。液晶ディスプレイ３１は、表示装置の一例であり、表示面３１ａを表示パネル３の一方の面に覗かせている。液晶ディスプレイ３１は、プラズマディスプレイ、有機エレクトロルミネッセンス、表面伝導型電子放出素子ディスプレイなどであってもよい。
【００１２】
デジタイザ３２は、液晶ディスプレイ３１の表示面３１ａに表示される画像に関連付けて入力操作を行える入力装置の一例である。デジタイザ３２の代わりにタッチパネルを液晶ディスプレイ３１の表示面３１ａに積層してもよい。ここで、表示面３１ａと反対側の面を背面３１ｂとする。
【００１３】
ヒンジ機構４は、図１に示すように、旋回軸４１と回動軸４２と旋回支持部材４３とを有し、本体２と表示パネル３とを連結している。旋回軸４１は、本体２の後部寄りにおいて幅方向に中央となる位置に配置され、本体２の上面から立ち上がる方向へ延びる軸心Ａを中心に表示パネル３を回転可能に支持する。回動軸４２は、本体２の上に重ね合わせた状態から本体２に対して立て起こす方向へ軸心Ｂを中心に表示パネル３を回動可能に支持する。回動軸４２は、任意の回動位置で表示パネル３をその姿勢に保持するための十分な回動摩擦抵抗を有している。軸心Ｂは、本体２に重ね合わされた状態の表示パネル３の後部側の一辺に沿って配置される。したがって、表示パネル３が旋回軸を中心に回転すると、表示パネル３とともに回動軸４２は、回転する。
【００１４】
旋回支持部材４３は、胴部４３１と支持腕４３２とを備え、旋回軸４１と回動軸４２とを交差する状態に結合している。胴部４３１の下部は、旋回軸４１に連結されている。支持腕４３２は、胴部４３１の上部から軸心Ｂに沿って延びており、胴部４３１とＴ字形を構成する。回動軸４２は、左右に延びた支持腕４３２の端部にそれぞれ取り付けられる。
【００１５】
旋回支持部材４３は、表示面３１ａ側から見て胴部４３１の左側に延びた支持腕４３２の途中に、本体２側に向かって延びる係合部４３３を備える。係合部４３３は、表示面３１ａがキーボード８に正対している状態、または、背面３１ｂがキーボード８に正対している状態で、旋回軸４１から左右対称に本体２の上部に設けられた凹部２１に嵌り込む。これにより、表示パネル３は、旋回軸４１を中心とする回転角度が１８０°に規制される。
【００１６】
受部材５は、図１および図２に示すように本体２の後部の上面に、旋回軸４１を中心とする左右対称に配置されている。左側に配置された受部材５を代表して図３に示す。受部材５は、所定の距離を空けて２つ配置されている。受部材５は、前後に長く設けられ、後部側に突起５１を有している。突起５１は、表示面３１ａまたは背面３１ｂをキーボード８に正対させた状態の表示パネル３における回動軸４２が配置された側の縁３３に対して、旋回軸４１を中心とする表示パネル３の回動方向に沿う向きに係合する。本実施形態において、突起５１は、係合部４３３が凹部２１から脱出する方向に表示パネル３が回動することを阻止するように設けられている。
【００１７】
表示パネル３の縁３３は、図４に示すように表示パネル３を立て起こした状態で受部材５に接触し、図５に示すように本体２に表示パネル３を重ね合わせた状態で受部材５からわずかに浮いた状態となるように形成されている。したがって、表示パネル３は、旋回軸４１以外に、立て起こされた状態で受部材５によっても支持されるので、本体２に対して安定する。
【００１８】
このように構成された電子機器１において、表示パネル３を本体２に対して立て起した後、旋回軸４１を中心にキーボード８側から見て表示面３１ａを左に向ける方向へ表示パネル３を回動させると、表示パネル３の縁３３は、図６に示すように、受部材５の突起５１を乗り越える。さらに、図７に示すように表示パネル３を回動させると、表示面３１ａから見て右側の縁３３がキーボード８側から受部材５に乗り上げる。これと同時に、表示面３１ａの左側の縁３３は、本体２の後部右側に配置された受部材５の突起５１を乗り越え、図８に示す状態となる。この状態から表示パネル３を本体２の上に重なるように伏せると、図９に示す状態となる。
【００１９】
これとは逆に、表示面３１ａをキーボード８側に向けるために、旋回軸４１を中心に反対方向へ表示パネル３を回転させる場合、図７に示した状態から図６に示した状態になり、表示面３１ａ側から見た表示パネルの左の縁が、図４に示すように、突起５１を乗り越えて受部材５に乗り上げる。このように、受部材５の突起５１を乗り越えることで、表示パネル３を反転操作した者に対して、表示パネル３を反転させた操作が完了したことを、クリック感を与えることによって感覚的に分からせることができる。旋回軸４１を中心に表示パネル３を回転させる操作の最初と最後にクリック感が得られることによって、利用者は、表示パネル３を正しく旋回させることができたことを直感的に確認することができる。
【００２０】
また、本体２に対して、表示パネル３を立て起す場合、表示パネル３を伏せる場合、あるいは、表示パネル３を立て起こした状態での角度を調整する場合、回動軸４２が設けられた側の表示パネル３の縁３３に対して対辺となる縁３４を、利用者は掴んで操作する。軸心Ａの半径方向へ旋回軸４１から離れた部分を掴んで操作されると、表示パネル３は、旋回軸４１を中心に回転力を受ける。
【００２１】
この場合、係合部４３３によって規制されていない側に表示パネル３が回転力を受けても、受部材５の突起５１が表示パネル３の縁３３に係合する。したがって、利用者は、回動軸４２を中心に表示パネル３を円滑に回動させることができる。
【００２２】
また、表示パネル３の縁３３が受部材５に係合する場合、表示面３１ａまたは背面３１ｂがキーボード８に対して正対する状態に、表示パネル３は、位置決めされている。したがって、回動軸４２と反対側の表示パネル３の縁３４に設けられるラッチ機構９の嵌合片９１は、位置ずれすることなく、本体２に設けられる嵌合穴９２に対して嵌る。
【００２３】
なお、本実施形態において、受部材５の突起５１は、表示面３１ａまたは背面３１ｂをキーボード８に正対させた状態で、表示パネル３の縁３３の後側となる位置に設けている。これに対して、図１０に示すように、表示パネル３の縁３３の前側および後側の両側に突起５１を有した受部材５Ａを設けてもよい。このように形成された受部材５Ａは、本体２の右側もしくは左側のみに設けられるだけで、上述の実施形態の受部材５と同じ効果を得ることができる。
【図面の簡単な説明】
【００２４】
【図１】本発明に係る一実施形態の電子機器を示す斜視図。
【図２】図１に示した電子機器を後方から見た斜視図。
【図３】図１に示した電子機器の本体の左後部の上面に設けられた受部材およびその周辺の斜視図。
【図４】図１に示した電子機器の表示パネルの表示面をキーボードに正対させた状態における受部材を通る断面図。
【図５】図１に示した電子機器の表示パネルの表示面をキーボードに向けて伏せた状態における受部材を通る断面図。
【図６】図１中のＦ６−Ｆ６線に沿って示す電子機器の断面図。
【図７】図１に示した電子機器の表示パネルを表示面が後方を向く位置まで回動させた状態の断面図。
【図８】図１に示した電子機器の表示パネルを表示面と反対側の面がキーボードに正対する位置まで回動させた状態の斜視図。
【図９】図１に示した電子機器の表示パネルの表示面を仰向けにして本体に伏せた状態を後方から見た斜視図。
【図１０】本発明に係る他の実施形態の電子機器の受部材を通る断面図。
【符号の説明】
【００２５】
１…電子機器、２…本体、３…表示パネル、４…ヒンジ機構、５，５Ａ…受部材、８…キーボード（入力装置）、３１ａ…表示面、３１ｂ…背面（表示面と反対側の面）、３３…（回動軸が配置される側の）縁、４１…旋回軸、４２…回動軸、４３…旋回支持部材、５１…突起、Ａ…（旋回軸の）軸心、Ｂ…（回動軸の）軸心。
【図１】
0004772595.tif 000002
【図２】
0004772595.tif 000003
【図３】
0004772595.tif 000004
【図４】
0004772595.tif 000005
【図５】
0004772595.tif 000006
【図６】
0004772595.tif 000007
【図７】
0004772595.tif 000008
【図８】
0004772595.tif 000009
【図９】
0004772595.tif 000010
【図１０】
0004772595.tif 000011